(57)【特許請求の範囲】
【請求項１】
複数の操作画像が表示された表示パネルへのタッチを検出した場合、前記表示パネルへのタッチ位置が前記複数の操作画像うちの一の操作画像の表示位置と一致するとき、前記操作画像に対応する操作信号を出力する入力装置において、
前記表示パネルへの押圧を検出する押圧検出手段と、
前記押圧検出手段が押圧を検出し、かつ、押圧位置が操作画像の表示位置から離れている場合、前記操作画像を前記押圧位置へ近づけ、前記押圧位置から最も離れた位置に表示される操作画像を最も大きく表示し、最も近くに表示される操作画像を最も小さく表示する表示制御を行う画像表示制御手段と、
を備える入力装置。
【請求項２】
前記画像表示制御手段が行う表示制御を停止する停止手段、
を備える請求項１に記載の入力装置。
【請求項３】
前記押圧検出手段は、前記押圧による押圧量を検出し、
前記画像表示制御手段は、
前記押圧検出手段が検出した押圧量が閾値以上である場合に、前記表示制御を行うようにしてある、
請求項１又は２に記載の入力装置。
【請求項４】
前記表示パネルへの押圧時間を計測する計測手段
を備え、
前記画像表示制御手段は、
前記計測手段が計測した押圧時間が閾値以上である場合に、前記表示制御を行うようにしてある、
請求項３に記載の入力装置。
【請求項５】
前記押圧検出手段は、前記表示パネルの第１主面又は第２主面に沿って設けられ、キラル高分子から形成された平膜状の圧電フィルムを有する、
請求項１から４の何れかに記載の入力装置。
【請求項６】
前記キラル高分子はポリ乳酸である、請求項５に記載の入力装置。
【請求項７】
前記キラル高分子はＬ型ポリ乳酸である、請求項６に記載の入力装置。
【請求項８】
複数の操作画像が表示された表示パネルへのタッチを検出した場合、前記表示パネルへのタッチ位置が前記複数の操作画像うちの一の操作画像の表示位置と一致するとき、前記操作画像に対応する操作信号を出力するコンピュータに実行させるプログラムにおいて、
前記コンピュータを、
前記表示パネルへの押圧を検出する押圧検出手段、及び、
前記押圧検出手段が押圧を検出し、かつ、押圧位置が操作画像の表示位置から離れている場合、前記操作画像を前記押圧位置へ近づけ、前記押圧位置から最も離れた位置に表示される操作画像を最も大きく表示し、最も近くに表示される操作画像を最も小さく表示する表示制御を行う画像表示制御手段、
として機能させるプログラム。
【発明の詳細な説明】
【技術分野】
【０００１】
本発明は、表示画面に表示された操作画像を押圧して、操作を入力する入力装置及びプログラムに関する。
【背景技術】
【０００２】
携帯電話機、又は携帯型音楽プレーヤ等の携帯端末装置は、直感的な入力操作を可能とするために、表示画面にタッチパネルが設けられ、そのタッチパネルを介して操作が入力されるものが多くなっている。このような携帯端末装置を操作する場合、一般的には、右手（又は左手）で端末筐体を把持しつつ、その右手（又は左手）の親指で画面をタッチして、入力操作を行うことが多い。しかしながら、親指の可動範囲には制限があるため、親指が届かない位置に操作画像が表示された場合等、ユーザにとって操作しづらい場合がある。【０００３】
特許文献１には、タッチパネルを入力装置とする携帯端末装置において、ユーザの指の可動範囲を考慮した入力操作を可能とする携帯端末装置が開示されている。特許文献１に記載の携帯端末装置は、ユーザの指の可動範囲を取得し、その範囲内にレイアウト（操作画像）が表示されるようにしている。これにより、操作画像がユーザにとって押しやすい位置に表示されるため、操作性が向上する。
【先行技術文献】
【特許文献】
【０００４】
【特許文献１】特開２００８−１１３１４８号公報
【発明の概要】
【発明が解決しようとする課題】
【０００５】
しかしながら、近年の携帯端末装置、特に携帯電話機は大画面化が進んでいるため、その大画面に表示される全ての操作画像を、ユーザの指の可動範囲内に収めることは難しい。この問題は、特許文献１では解決できない。【０００６】
そこで、本発明の目的は、操作画面に表示された操作画像を、ユーザがタッチ操作しやすい位置に表示する入力装置、及びプログラムを提供することにある。
【課題を解決するための手段】
【０００７】
本発明は、操作画像が表示された表示パネルへのタッチを検出した場合、前記表示パネルへのタッチ位置が前記操作画像の表示位置と一致するとき、前記操作画像に対応する操作信号を出力する入力装置において、前記表示パネルへの押圧を検出する押圧検出手段と、前記押圧検出手段が押圧を検出し、かつ、押圧位置が前記操作画像の表示位置から離れている場合、前記操作画像を前記押圧位置へ近づける表示制御を行う画像表示制御手段と、を備えることを特徴とする。【０００８】
この構成では、表示パネルが押圧された場合、押圧位置から離れた位置に表示された操作画像を、押圧位置に近づけることができる。これにより、ユーザが指で操作画像をタッチできる位置、又はタッチしやすい位置に操作画像が表示されていない場合であっても、押圧位置に操作画像が近づけることで、ユーザは、その操作画像をタッチできる、又はタッチしやすくなる。【０００９】
本発明に係る入力装置において、前記表示パネルには複数の操作画像が表示されており、前記画像表示制御手段は、前記複数の操作画像の何れかを、前記押圧位置へ近づけるようにしてある構成が好ましい。【００１０】
この構成では、表示されている複数の操作画像のうち、例えば、押圧位置から最も離れた位置（ユーザの指が届かない位置）に表示されている操作画像、又は、予め設定された使用頻度の高い操作画像等を、押圧位置に近づけることで、より操作性を向上できる。【００１１】
本発明に係る入力装置は、前記画像表示制御手段が行う表示制御を停止する停止手段を備えることが好ましい。【００１２】
この構成では、押圧位置へ近づく操作画像が所望の位置に来たときに、表示制御を停止することができるようにすることで、ユーザがタッチ操作しやすい位置へ操作画像を表示させることができ、より操作性を向上できる。【００１３】
本発明に係る入力装置において、前記押圧検出手段は、前記押圧による押圧量を検出し、前記画像表示制御手段は、前記押圧検出手段が検出した押圧量が閾値以上である場合に、前記表示制御を行うようにしてあることが好ましい。【００１４】
この構成では、操作画像を押圧位置へ近づけるか否かの操作が可能となる。【００１５】
本発明に係る入力装置において、前記表示パネルへの押圧時間を計測する計測手段を備え、前記画像表示制御手段は、前記計測手段が計測した押圧時間が閾値以上である場合に、前記表示制御を行うようにしてあることが好ましい。【００１６】
この構成では、表示パネルを押圧する時間に応じて、操作画像を押圧位置へ近づけるか否かの操作が可能となる。【００１７】
本発明に係る入力装置において、前記押圧検出手段は、前記表示パネルの第１面又は第２面に沿って設けられ、キラル高分子から形成された平膜状の圧電フィルムを有することが好ましい。【００１８】
本発明に係る入力装置において、前記キラル高分子はポリ乳酸であることが好ましい。【００１９】
例えば、圧電フィルムにＰＶＤＦ（ポリフッ化ビニリデン）を用いた場合、ユーザの指の体温が圧電フィルムに伝わって、圧電フィルムによる検出に影響を及ぼすおそれがあるが、焦電性がないポリ乳酸を用いることで、圧電フィルムによる押圧量の検出を精度よく行える。【００２０】
本発明に係る入力装置において、前記キラル高分子はＬ型ポリ乳酸であることが好ましい。【００２１】
例えば、圧電フィルムにＰＶＤＦ（ポリフッ化ビニリデン）を用いた場合、ユーザの指の体温が圧電フィルムに伝わって、圧電フィルムによる検出に影響を及ぼすおそれがあるが、焦電性がないＬ型ポリ乳酸を用いることで、圧電フィルムによる押圧量の検出を精度よく行える。
【発明の効果】
【００２２】
本発明によれば、表示パネルへの押圧量に応じて、押圧位置から離れた位置に表示された操作画像を、押圧位置に近づけることができる。これにより、ユーザが指で操作画像をタッチできる位置、又はタッチしやすい位置に操作画像が表示されていない場合であっても、押圧位置に操作画像が近づけることで、ユーザは、その操作画像をタッチできる、又はタッチしやすくなる。
【図面の簡単な説明】
【００２３】
【図１】実施形態に係る携帯端末装置の表示態様を説明するための図
【図２】実施形態に係る表示装置の外観斜視図
【図３】図２のＡ−Ａ線における断面図
【図４】演算回路モジュールの構成を示すブロック図
【図５】演算回路モジュールで実行される処理のフローチャートを示す図
【図６】表示変更処理における表示態様の変形例を説明するための図
【発明を実施するための形態】
【００２４】
以下、本発明に係る入力装置の好適な実施の形態について図面を参照して説明する。以下の実施形態では、本発明に係る入力装置を備えた携帯端末装置を例に挙げて説明する。携帯端末装置は、タッチパネルを介した操作（以下、タッチ操作という）が可能な携帯型電子機器であって、例えば、携帯電話機、音楽プレーヤ又はデジタルカメラなどが挙げられる。
【００２５】
図１は、本実施形態に係る携帯端末装置１の表示態様を説明するための図である。図１では、平時における携帯端末装置１の表示態様を上部に示し、ユーザによる所定操作を受け付けたときの携帯端末装置１の表示態様を下部に示している。
【００２６】
携帯端末装置１は略直方体形状の筐体５０を備えている。筐体５０内には、画像を表示し、タッチ操作を検出する後述の表示入力部が設けられていて、その表示入力部の表示領域を覆う部分には、樹脂製の保護カバーが設けられている。この保護カバーは、ユーザによるタッチ操作を受け付ける操作面５１である。
【００２７】
携帯端末装置１の表示領域には、操作画像１０１，１０２，１０３が表示される。これら操作画像１０１，１０２，１０３には、各種操作、例えば、文字入力又は機能の起動が対応付けられている。操作面５１は透光性を有していて、ユーザは、操作画像１０１，１０２，１０３を、操作面５１を介して視認できるようになっている。
【００２８】
ユーザは、図１に示すように、右手（又は左手）で携帯端末装置１の端部を把持しつつ、その右手の親指３００でタッチ操作を行う。タッチ操作されると、携帯端末装置１は、操作面５１へのタッチ位置及び押圧量を検出する。ここで、タッチ操作とは、表示入力部に対してユーザの指が完全に接触していなくてもよく、表示入力部と指との間が静電容量を介して接触する場合も含むものとする。また、押圧量とは、樹脂製の操作面５１に対して、ユーザの指３００がどれだけ押し込まれたかを示す押込量である。携帯端末装置１は、ユーザのタッチ操作によるタッチ位置を検出した場合、そのタッチ位置に操作画像１０１，１０２，１０３の何れかが表示されているとき、その位置に表示された操作画像がユーザにより選択されたと判定し、その操作画像に対応付けられた処理を実行する。
【００２９】
また、携帯端末装置１は、ユーザのタッチ操作による押圧量を検出し、その検出量が閾値以上であって、かつ、操作面５１が一定時間押圧されている場合、操作画像１０１，１０２，１０３の表示変更処理を行う。より具体的に説明すると、上述のように、携帯端末装置１の端部を右手で把持しつつ、その右手の親指３００でタッチ操作を行う場合、操作面５１において、把持した側の端部近傍（領域Ａ）は、親指３００が届く範囲となるが、他端部近傍（領域Ｂ）は、親指３００が届かない範囲となることがある。
【００３０】
図１に示すように、領域Ａ内に操作画像１０３が表示され、領域Ｂ内に操作画像１０１，１０２が表示されている場合、ユーザは、親指３００で操作画像１０３のタッチ操作はできるが、操作画像１０１，１０２のタッチ操作はできない。このため、操作画像１０１，１０２をタッチ操作したい場合、ユーザは、携帯端末装置１を持ち替えるか、携帯端末装置１を把持していない左手でタッチ操作をする必要がある。
【００３１】
そこで、本実施形態に係る携帯端末装置１は、操作面５１が一定以上押圧された場合には、図１の下部に示すように、領域Ｂに表示された操作画像１０１，１０２を押圧位置に近づけ、操作画像１０１〜１０３すべてが領域Ａ内に表示されるように表示制御を行う。これにより、ユーザは、親指３００により、操作画像１０１〜１０３のいずれもタッチ操作でき、操作性が向上する。
【００３２】
なお、本実施形態では、表示変更処理を行う場合、携帯端末装置１は、領域Ａ内に操作画像１０１，１０２，１０３すべてが表示されるように画像サイズを調整する。例えば、図１に示すように、押圧位置から最も遠くに表示されていた操作画像１０１を一番大きく表示し、押圧位置に近くに表示されていた操作画像１０３を一番小さくする。これにより、すべての操作画像１０１，１０２，１０３を領域Ａ内に表示できると共に、ユーザは、操作画像１０１，１０２，１０３の元の表示位置関係を把握しやすくなる。
【００３３】
なお、操作画像１０１，１０２，１０３すべてを同じ大きさに表示してもよいし、画像サイズを小さくしなくてもよい。また、操作画像１０１，１０２，１０３の表示方向を変更してもよい。さらに、特定の画像、例えば、押圧位置から最も遠い位置に表示された操作画像１０１のみを、押圧位置に近づけるようにしてもよい。
【００３４】
図２は、本実施形態に係る携帯端末装置１の外観斜視図である。図３は、図２のＡ−Ａ線における断面図である。
【００３５】
携帯端末装置１は略直方体形状の筐体５０を備えている。以下では、筐体５０の幅方向（横方向）をＸ方向とし、長さ方向（縦方向）をＹ方向とし、厚み方向をＺ方向として説明する。また、Ｘ方向を携帯端末装置１の横方向といい、Ｙ方向を縦方向ともいう。本実施形態の説明では、筐体５０のＸ方向の長さが、筐体５０のＹ方向の長さよりも短い場合を示している。操作面５１の背面側の筐体５０内には表示入力部１０が設けられている。表示入力部１０は、本発明に係る入力装置に相当し、押圧センサ部２０と、表示パネル部３０と、位置検出センサ部４０とを備える。表示入力部１０のさらに背面側には、演算回路モジュール６０が設けられている。
【００３６】
表示パネル部３０は、平板状の液晶パネル３０１、表面偏光板３０２、裏面偏光板３０３及びバックライト３０４を備える。液晶パネル３０１は、外部から駆動電極が印加されることで、所定の画像パターンを形成するように液晶の配向状態が変化する。表面偏光板３０２と裏面偏光板３０３とは、液晶パネル３０１を挟むように配置されている。バックライト３０４は、裏面偏光板３０３を挟んで、液晶パネル３０１と反対側に配置されている。
【００３７】
このような表示パネル部３０の液晶パネル３０１と表面偏光板３０２との間には、押圧センサ部２０及び位置検出センサ部４０が配置されている。位置検出センサ部４０が表面偏光板３０２側に位置し、押圧センサ部２０が液晶パネル３０１側に位置している。押圧センサ部２０と表示パネル部３０との間には、透光性の絶縁層５０１が形成されている。なお、押圧センサ部２０及び位置検出センサ部４０は、表面偏光板３０２と操作面５１との間に設けられていてもよい。
【００３８】
位置検出センサ部４０は平板状の絶縁性基板４０１を備える。絶縁性基板４０１は、透光性を有し、複屈折性を有さない材料からなる。絶縁性基板４０１の一方の平面には、複数の電極４０２が形成されている。他方の平面には、複数の電極４０３が形成されている。複数の電極４０２はＹ方向に長い長尺状であり、Ｘ方向に沿って間隔を空けて配置されている。複数の電極４０３はＸ方向に長い長尺状であり、Ｙ方向に沿って間隔を空けて配置されている。すなわち、複数の電極４０２，４０３は、Ｚ方向から視た場合に、略９０°に交差するよう配置されている。これら複数の電極４０２，４０３は、透光性を有する材料からなる。
【００３９】
位置検出センサ部４０の電極４０２，４０３それぞれは組をなしており、ユーザの指が操作面５１に近接した際に静電容量変化を検出する。静電容量変化を検出した電極４０２，４０３の組は、電極４０２，４０３の一方を基準電位とし、静電容量変化に応じた静電容量検出信号を出力する。出力された静電容量検出信号は、図示しない配線を介して演算回路モジュール６０に入力される。演算回路モジュール６０は、静電容量検出信号を出力した電極４０２，４０３の組合せから、タッチ位置を検出する。
【００４０】
押圧センサ部２０は平膜状の圧電フィルム２０１を備える。圧電フィルム２０１の両平板面には、電極２０２，２０３が形成されている。電極２０２，２０３は、圧電フィルム２０１の平板面の略全面に形成されている。
【００４１】
圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。キラル高分子はＰＶＤＦと比べて透明度が高いため、圧電フィルム２０１をキラル高分子から形成することで、表示パネル部３０に表示される画像が視認しやすい。
【００４２】
キラル高分子からなるＰＬＬＡは、主鎖が螺旋構造を有する。ＰＬＬＡは、一軸延伸されて分子が配向すると圧電性を有する。そして、一軸延伸されたＰＬＬＡは、圧電フィルム２０１の平板面が押圧されることにより、電荷を発生する。この際、発生する電荷量は、押圧量（押込量）により平板面が当該平板面に直交する方向へ変位する変位量に依存する。
【００４３】
ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。このため、ＰＬＬＡには、他の強誘電性の圧電体で生じる焦電性が生じない。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押圧による変位を高感度に検出することができる。
【００４４】
電極２０２，２０３は、ＩＴＯ、ＺｎＯ、銀ナノワイヤ、カーボンナノチューブ、グラフェン等の無機系の電極、ポリチオフェン、ポリアニリン等を主成分とする有機系の電極のいずれかを用いるのが好適である。これらの材料を用いることで、透光性の高い導体パターンを形成できる。このような電極２０２，２０３を設けることで、圧電フィルム２０１が発生する電荷を電位差として取得でき、押圧量に応じた電圧値の押圧量検出信号を外部へ出力することができる。押圧量検出信号は、図示しない配線を介して演算回路モジュール６０に出力される。演算回路モジュール６０は、押圧量検出信号から押圧量を算出する。
【００４５】
演算回路モジュール６０は、表示パネル部３０の裏面側に配置されている。具体的には、筐体５０内における表示パネル部３０の裏面側の空間には、実装基板（図示せず）が配置されており、演算回路モジュール６０は、その実装基板上に実装されている。
【００４６】
図４は、演算回路モジュール６０の構成を示すブロック図である。演算回路モジュール６０は、制御部６１、メモリ６２、表示制御部６３、タッチ位置検出部６４、押圧量検出部６５及び操作信号出力部６６を備えている。
【００４７】
制御部６１は、ＣＰＵ等であり、メモリ６２に記憶されたプログラムに従って、演算回路モジュール６０全体の動作を制御する。メモリ６２は、ＲＡＭ及びＲＯＭ等であり、制御プログラムを記憶し、また、演算処理結果等を逐次記憶する。
【００４８】
表示制御部６３は、表示パネル部３０の画像表示制御を行う。表示制御部６３は、例えば制御部６１からの制御信号を入力すると、操作画像１０１〜０３等を表示パネル部３０に表示させ、また、上述の表示変更処理を行う。表示制御部６３は、制御部６１と共に、本発明に係る画像表示制御手段に相当する。
【００４９】
タッチ位置検出部６４は、表示入力部１０の押圧センサ部２０に接続されている。タッチ位置検出部６４は、位置検出センサ部４０から複数の静電容量検出信号を入力する。静電容量検出信号は、上述したように、ユーザのタッチ操作の際に静電容量変化が生じた電極４０２，４０３の組から出力される。タッチ位置検出部６４は、複数の静電容量検出信号から、信号レベルが最も高い組の電極４０２，４０３を検出する。メモリ６２には、電極４０２，４０３の組と操作入力検出位置とが関連付けされた情報（位置座標）が記憶されている。タッチ位置検出部６４は、信号レベルの最も高い組に関連付けられた位置座標をメモリ６２から読み出し、制御部６１へ出力する。
【００５０】
押圧量検出部６５は、本発明に係る押圧検出手段に相当し、表示入力部１０の位置検出センサ部４０に接続されている。押圧量検出部６５は、本発明に係る押圧検出手段に相当する。押圧量検出部６５は、押圧センサ部２０から押圧量検出信号を入力する。押圧量検出信号は、上述したように、ユーザの指が操作面５１を押圧して湾曲した圧電フィルム２０１に生じる電位差により、電極２０２，２０３から出力される。メモリ６２には、押圧量検出信号の信号レベルと押圧量とが関連付けられて記憶されている。押圧量検出部６５は、入力した押圧量検出信号の信号レベルに関連付けられた押圧量をメモリ６２から読み出し、制御部６１へ出力する。
【００５１】
操作信号出力部６６は、タッチ操作されたとき、そのタッチ操作に割り当てられた操作信号を外部へ出力する。例えば、操作画像１０１がタッチ操作れた場合、その操作画像１０１に対応する操作信号を、操作信号出力部６６から携帯端末装置１全体を制御するＣＰＵ等に出力する。
【００５２】
図５は、演算回路モジュール６０で実行される処理のフローチャートを示す図である。このフローチャートに示す処理は、制御部６１がメモリ６２に記憶されたプログラムを読み取ることにより実行される。
【００５３】
まず、制御部６１はメモリ６２等の初期化処理を行い（Ｓ１）、表示制御部６３は、操作画像１０１，１０２，１０３を表示パネル部３０に表示させる（Ｓ２）。タッチ位置検出部６４又は押圧量検出部６５は、ユーザによるタッチ操作を受け付けたか否かを判定する（Ｓ３）。具体的には、タッチ位置検出部６４又は押圧量検出部６５は、位置検出センサ部４０又は押圧センサ部２０から検出信号を入力したか否かを判定する。
【００５４】
タッチ操作を受け付けていない場合（Ｓ３：ＮＯ）、Ｓ３の処理が繰り返し実行される。タッチ操作を受け付けた場合（Ｓ３：ＹＥＳ）、タッチ位置検出部６４はタッチ位置を検出する（Ｓ４）。具体的には、タッチ位置検出部６４は、位置検出センサ部４０から入力した静電容量検出信号の信号レベルを比較する。そして、信号レベルの最も高い組の電極４０２，４０３を特定し、その組に対応付けられた位置座標をメモリ６２から読み出し、読みだした位置座標を制御部６１へ出力する。
【００５５】
次に、押圧量検出部６５は押圧量を検出する（Ｓ５）。詳しくは、押圧量検出部６５は、押圧センサ部２０から入力した押圧量検出信号の信号レベルを取得し、その信号レベルに関連付けられた押圧量をメモリ６２から読み出す。押圧量検出部６５は、読みだした押圧量を制御部６１へ出力する。Ｓ５において、押圧量検出部６５は、押圧量を検出した場合、操作面５１が押圧され続ける時間を計測するために、カウントを開始する。すなわち、押圧量検出部６５は、本発明に係る計測手段に相当する。
【００５６】
制御部６１は、押圧量検出部６５が検出した押圧量が閾値以上であるか否かを判定する（Ｓ６）。閾値以上でない場合（Ｓ６：ＮＯ）、制御部６１は、タッチ操作に基づいて操作を実行するか否かを判定する（Ｓ１２）。例えば、制御部６１は、タッチ位置検出部６４が検出したタッチ位置が、表示パネル部３０に表示された操作画像１０１〜１０３の何れかと一致するか否かを判定する。タッチ操作に基づく操作を実行する場合（Ｓ１２：ＹＥＳ）、すなわち、操作画像１０１〜１０３の何れかがタッチ操作された場合、制御部６１は、タッチ操作された操作画像１０１〜１０３に対応付けられた操作信号を出力する（Ｓ１３）。操作を実行しない場合（Ｓ１２：ＮＯ）、制御部６１は、Ｓ１１の処理を実行する。
【００５７】
このように、操作面５１の押圧量が閾値以上でない場合には、表示変更処理を実行しないようにすることで、ユーザによる誤操作を防止できる。なお、操作面５１への押圧を検出すれば、その押圧量に関係なく表示変更処理を実行するようにしてもよい。
【００５８】
Ｓ６において、押圧量が閾値以上である場合（Ｓ６：ＹＥＳ）、押圧量検出部６５は、操作面５１への押圧を検出してから所定時間以上経過しているか否かを判定する（Ｓ７）。所定時間以上押圧されていない場合（Ｓ７：ＮＯ）、制御部６１は、上述のＳ９の処理を実行する。これにより、ユーザが誤って操作面５１を押圧した場合における誤操作を防止できる。所定時間以上、操作面５１が押圧されている場合（Ｓ７：ＹＥＳ）、表示制御部６３は、表示変更処理を実行する（Ｓ８）。この表示変更処理は、図１で説明したように、表示している操作画像１０１〜１０３を、検出した押圧位置に近づける処理である。
【００５９】
制御部６１は、表示変更処理を終了するか否かを判定する（Ｓ９）。表示変更処理を終了する場合とは、例えば、操作画像１０１〜１０３が押圧位置に近づいた場合、又は、押圧量検出部６５が操作面５１への押圧を検出しなくなった場合などである。押圧量検出部６５が操作面５１への押圧を検出しなくなった場合に表示変更処理を終了することで、ユーザは、所望の位置へ操作画像１０１〜１０３を表示させることができる。表示変更処理を終了しない場合（Ｓ９：ＮＯ）、表示制御部６３は、表示変更処理を実行し続ける（Ｓ８）。表示変更処理を終了する場合（Ｓ９：ＹＥＳ）、表示制御部６３は、表示変更処理を終了する（Ｓ１０）。
【００６０】
制御部６１は、例えば、携帯端末装置１の電源がオフされるなど、処理を終了するか否かを判定する（Ｓ１１）。終了しない場合には（Ｓ１１：ＮＯ）、Ｓ３の処理が再度実行される。処理を終了する場合には（Ｓ１１：ＹＥＳ）、本処理は終了する。
【００６１】
以上説明したように、本実施形態では、ユーザが携帯端末装置１を片手持ちし、同じ手の指でタッチ操作をする場合、操作画像１０１〜１０３が指に届かない位置に表示されていても、その操作画像１０１〜１０３を指の届く位置へ表示させることができる。これにより、ユーザは、携帯端末装置１を持ち替え、又は、両手で携帯端末装置１を操作する必要がないため、携帯端末装置１の操作性が向上する。
【００６２】
以下では、表示変更処理における表示態様の変形例について説明する。図６は、表示変更処理における表示態様の変形例を説明するための図である。
【００６３】
携帯端末装置１には、操作画像１０１〜１０４が表示されている（図６（Ａ））。ユーザの指３００により、操作面５１における操作画像１０４の表示位置部分が押圧されると、操作画像１０３が画面奥方向に消えていき、操作画像１０１，１０２が押圧位置側にスライドするアニメーション表示が行われる（図６（Ｂ））。この結果、携帯端末装置１には、操作画像１０１，１０２，１０４が表示される。さらに、操作面５１を押圧し続けると、操作画像１０２が画面奥方向に消えていき、操作画像１０１が押圧位置側にスライドするアニメーション表示が行われる（図６（Ｃ））。この結果、携帯端末装置１には、操作画像１０１，１０４のみが表示される（図６（Ｄ））。これにより、ユーザは、操作画像１０１のタッチ操作が可能となり、操作性が向上する。
【００６４】
なお、例えば、図６（Ｂ）の時点でユーザが操作面５１への押圧を止め、携帯端末装置１に操作画像１０１，１０２，１０４のみを表示させた状態で、表示変更処理を停止するようにしてもよい。この場合、ユーザは、操作画像１０２のタッチ操作が可能となり、携帯端末装置１の操作性をさらに向上させることができる。
【００６５】
また、表示変更処理で、操作画像を押圧位置に近づける速度を押圧量が大きくなるに従い、早くするようにしてもよい。この場合、ユーザの操作速度を上げることができ、操作性がより向上する。
【符号の説明】
【００６６】
１…携帯端末装置
１０…表示入力部
２０…押圧センサ部
３０…表示パネル部
４０…位置検出センサ部
５０…筐体
５１…操作面
６０…演算回路モジュール
６１…制御部
６２…メモリ
６３…表示制御部（画像表示制御手段、停止手段）
６４…タッチ位置検出部
６５…押圧量検出部（押圧検出手段、計測手段）
６６…操作信号出力部
１０１，１０２，１０３，１０４…操作画像
２０１…圧電フィルム
２０２，２０３…電極
３００…親指
３０１…液晶パネル
３０２…表面偏光板
３０３…裏面偏光板
３０４…バックライト
４０１…絶縁性基板
４０２…電極
４０２，４０３…電極
４０３…電極
５０１…絶縁層
【図１】
0005954502.tif 000002
【図２】
0005954502.tif 000003
【図３】
0005954502.tif 000004
【図４】
0005954502.tif 000005
【図５】
0005954502.tif 000006
【図６】
0005954502.tif 000007